(57)【要約】【課題】その端部の保持機構でモニターを穏やかに保持できる上、上下への傾角が調整しやすいモニター保持装置の提供を目的とする。【解決手段】その端部の保持機構でモニターを上下への傾角が調整できるように保持するモニター保持装置において、前記保持機構は、モニターを後ろから固持するものであって、前記端部に上下に傾けられるように枢支されている保持フレームと、前記端部のあたりに、その一端が前記保持フレームを下から受け持つように位置固定されているねじりバネと、前記端部に、前記ねじりバネの他の一端を止める上、調整されて移動し、該他の一端を突っ張って該ねじりバネの付勢力を調整することができるように配置構成されている調整手段とからなっていることを特徴とするモニター保持装置。【選択図】図２
0003148316.tif 000002
【実用新案登録請求の範囲】
【請求項１】
その端部の保持機構でモニターを上下への傾角が調整できるように保持するモニター保持装置において、
前記保持機構は、
モニターを後ろから固持するものであって、前記端部に上下に傾けられるように枢支されている保持フレームと、
前記端部のあたりに、その一端が前記保持フレームを下から受け持つように位置固定されているねじりバネと、
前記端部に、前記ねじりバネの他の一端を止める上、調整されて移動し、該他の一端を突っ張って該ねじりバネの付勢力を調整することができるように配置構成されている調整手段とからなっていることを特徴とするモニター保持装置。
【請求項２】
前記保持フレームと前記端部との間の枢支構造は、該端部から左右並列するように前へ突出している一対の外側ラグと、該保持フレームから左右並列するように後ろへと突出し、且つ、前記一対の外側ラグの間に延長している一対の内側ラグと、前記一対の外側ラグと前記一対の内側ラグとを貫通して枢接している枢軸とからなっていることを特徴とする請求項１に記載のモニター保持装置。
【請求項３】
前記ねじりバネは、前記枢軸を囲むように設置されていることを特徴とする請求項２に記載のモニター保持装置。
【請求項４】
前記ねじりバネは、ブッシングを介して前記枢軸を囲むように設置されていることを特徴とする請求項２に記載のモニター保持装置。
【請求項５】
前記一対の内側ラグのいずれかの下縁部に切欠が開けてあり、該切欠は前記ねじりバネの前記一端を係止していることを特徴とする請求項３に記載のモニター保持装置。
【請求項６】
直立面に固定されうる取付座と、
前記取付座に、水平方向へ延長し、且つ、水平面に回動可能に枢支されている水平棒と、
前記水平棒の先端部に、垂直方向へ延長し、且つ、該垂直方向を中心に自転することができるように軸支される上、その先端部が前記端部となっている直立棒と、
を更に有していることを特徴とする請求項１ないし請求項５のいずれか一項に記載のモニター保持装置。
【請求項７】
前記先端部は、天板と前記天板の周縁に沿っている周壁とを有する容室となっており、前記一対の外側ラグは、前記周壁から水平方向に延びて形成されており、前記天板に、ネジ付き孔が形成されており、また、
前記調整手段は、ネジ棒であって、その下端部がねじ込みにより前記ネジ付き孔を貫いてから前記ねじりバネの他の一端と当接していることを特徴とする請求項６に記載のモニター保持装置。
【考案の詳細な説明】
【技術分野】
【０００１】
本考案は、モニター保持装置に関し、特に、その端部の保持機構でモニターを上下への傾角が調整できるように保持するモニター保持装置に関する。
【背景技術】
【０００２】
従来、モニターの観賞の便利のために、それを後ろから左右上下への角度が調整できるように保持するモニター保持装置がすでに提供されている。
【０００３】
しかし、今になって大画面薄型モニターが段々と駅などの公衆場所でよく見かけられるようになってきたが、それらをよくみてみると、その保持装置は、端部の保持機構でモニターを上下への傾角が調整できるように保持しているものの、調整の際に、モニターの重さで調整がとっても難しくなっている。
【０００４】
特許文献１のモニター保持装置を例として挙げれば、該モニター保持装置は、モニターを後ろから固定したモニター固定フレームを、下から持ち上げながらその上下への傾角を加減に調整した後、締付ボルトで一側から固定し保持することができるが、調整の際に、モニターの重さで調整がとっても難しいことのほかに、側辺からの締付けだけでモニターを保持することも、あまり安定性がよいものでなく、一旦締付けが緩むと、モニターが傾いたり落ちるように倒れたりするおそれがある。
【特許文献１】台湾実用新案第Ｍ２９７１４４号
【考案の開示】
【考案が解決しようとする課題】
【０００５】
上記に鑑みて、本考案は、その端部の保持機構でモニター、特に大型で重量が大きいモニターを穏やかに保持できる上、上下への傾角が調整しやすいモニター保持装置を提供しようとすることを目的とする。
【課題を解決するための手段】
【０００６】
上記目的を達成するため、本考案は、その端部の保持機構でモニターを上下への傾角が調整できるように保持するモニター保持装置において、前記保持機構は、モニターを後ろから固持するものであって、前記端部に上下に傾けられるように枢支されている保持フレームと、前記端部のあたりに、その一端が前記保持フレームを下から受け持つように位置固定されているねじりバネと、前記端部に、前記ねじりバネの他の一端を止める上、調整されて移動し、該他の一端を突っ張って該ねじりバネの付勢力を調整することができるように配置構成されている調整手段とからなっているモニター保持装置を提供する。
【０００７】
本考案のモニター保持装置の好ましい実施態様として、直立面に固定されうる取付座と、前記取付座に、水平方向へ延長し、且つ、水平面に回動可能に枢支されている水平棒と、前記水平棒の先端部に、垂直方向へ延長し、且つ、該垂直方向を中心に自転することができるように軸支される上、その先端部が前記端部となっている直立棒とを更に有しているものが挙げられる。
【０００８】
さらに、前記実施形態においては、前記先端部は、天板と前記天板の周縁に沿っている周壁とを有する容室となっており、前記天板に、ネジ付き孔が形成されており、また、前記調整手段は、ネジ棒であって、その下端部がねじ込みにより前記ネジ付き孔を貫いてから前記ねじりバネの他の一端と当接しているのが好ましい。
【考案の効果】
【０００９】
前記構成による本考案のモニター保持装置でモニターを固定し保持する場合、モニターを後ろから固持する保持フレームは、下からねじりバネの一端に受け持たれるため、従来のモニター支持装置より遥かに安定するようになり、且つ、該ねじりバネの一端に受け持たれながら調整手段、特に前記ネジ棒の回転による調整でねじりバネの他の一端を突っ張ってねじりバネの付勢力を変え、モニターの上下への傾角を簡単に調整することができる。
【考案を実施するための最良の形態】
【００１０】
以下、図１〜図６に示すモニター保持装置を例として本考案のモニター保持装置を説明する。
【００１１】
図１に示すのは本考案の実施例の斜視図であり、図２に示すのはその分解斜視図であり、図３に示すのはその部分分解斜視図であり、図４に示すのはそのねじりバネの構成関係図である。
【００１２】
図示のように、前記モニター保持装置は、主に、取付座１と、水平棒２と、直立棒３と、保持機構４とからなっている。取付座１は壁などの直立面に固定され得るものであり、水平棒２は取付座１に枢支されているものであり、直立棒３は水平棒２の先端部２１に軸支されているものであり、また、保持機構４は、直立棒３の先端部３１に設置されているものである。
【００１３】
図面をもっと詳しく見ると、水平棒２は、水平方向へ延長し、且つ、前記取付座１の枢支により水平面に回動可能になっているほか、その先端部２１に直立開孔２１１が形成されている。
【００１４】
直立棒３は、垂直方向へ延長し、且つ、該垂直方向を中心に自転することができるように、前記直立開孔２１１を貫通して軸支されている。
【００１５】
そして、図２及び図３からわかるように、直立棒３の先端部３１は、天板３１１と天板の周縁に沿っている周壁３１２とを有する容室３１３となる上、上から開孔６１付きのケーシング６が該容室３１３全体をカバーしている。また、周壁３１２から左右並列するように水平方向に延びて一対の外側ラグ５１が形成されており、天板３１１に、ネジ付き孔３１１ａが形成されている。
【００１６】
次に、本考案の特徴となっている保持機構４を説明する。
【００１７】
保持機構４は、まず、モニター（図示せず）を後ろから固持するものであって、直立棒３の先端部３１に上下に傾けられるように枢支されている保持フレーム４１を備えている。
【００１８】
図２及び図４をもっと詳しくみると、保持フレーム４１と直立棒３の先端部３１との間の枢支構造５は、前記一対の外側ラグ５１と、保持フレーム４１から左右並列するように後ろへと突出し、且つ、前記一対の外側ラグ５１の間に延長している一対の内側ラグ５２と、前記一対の外側ラグ５１と前記一対の内側ラグ５２とを貫通して枢接している枢軸５３とからなっている。
【００１９】
該枢軸５３上の、前記一対の外側ラグ５１と前記一対の内側ラグ５２との各対応側の間に、両者の間の摩擦力や緊迫性を上げるものとして、それぞれ二枚のワッシャー５５が介在されている。
【００２０】
保持機構４は、さらに、両端４２１，４２２を有し、その一端４２１が保持フレーム４１を下から受け持つように位置固定されているねじりバネ４２と、ネジ棒構造となり、且つ、ネジ付き孔３１１ａを貫通するように設置されている調整手段４３とを備えている。
【００２１】
詳しく説明すると、該ねじりバネ４２は、ブッシング５４を介して枢軸５３を囲むように設置される上、その一端４２１が一対の内側ラグ５２の一つにおける下縁部に開けてある切欠５２１に係止されている。それに、調整手段４３は、その下端部がねじ込みにより、開孔６１及びネジ付き孔３１１ａを貫いてからねじりバネ４２の他の一端４２２と当接している。
【００２２】
即ち、図５及び図６に示すように、調整手段４３は、ねじりバネ４２の他の一端４２２を止める上、調整されて移動し、該他の一端４２２を突っ張ってねじりバネ４２の付勢力を調整することができるように配置構成されている。
【産業上の利用可能性】
【００２３】
叙上により、本考案のモニター保持装置は、保持フレーム４１に固持されたモニターがより小型で軽い場合、調整手段４３をねじ出してねじりバネを緩ませ付勢力を減らし（図５参照）、より大型で重い場合、調整手段４３をねじ込んでねじりバネを緊迫させ付勢力を増やす（図６参照）ことで、保持フレーム４１に固持されたモニター（図示せず）の重量とねじりバネの付勢力との間にバランスを取り、このバランスの状態でモニターの上下への傾角を手で簡単に調整することができる。
【００２４】
なお、本考案のモニター保持装置は、上記実施例のように、一対の外側ラグ５１と一対の内側ラグ５２との間にワッシャー５５を介在している場合、保持フレーム４１のモニターの重量による下への回動と、ねじりバネ４２の付勢力による上への回動とが丁度バランス状態になっている時、前記ワッシャー５５により生じている摩擦力や緊迫性で該バランス状態が保持され、不意な外力によって振動することがない。
【図面の簡単な説明】
【００２５】
【図１】本考案の実施例の斜視図である。
【図２】前記実施例の分解斜視図である。
【図３】前記実施例の部分分解斜視図である。
【図４】前記実施例におけるねじりバネの構成関係図である。
【図５】前記実施例におけるねじりバネがより緩んでいる場合の構成関係図である。
【図６】前記実施例におけるねじりバネがより緊迫している場合の構成関係図である。
【符号の説明】
【００２６】
１  取付座
２  水平棒
２１  水平棒の先端部
２１１  直立開孔
３  直立棒
３１  直立棒の先端部
３１１  天板
３１１ａ  ネジ付き孔
３１２  周壁
３１３  容室
４  保持機構
４１  保持フレーム
４２  ねじりバネ
４２１  ねじりバネの一端
４２２  ねじりバネの他の一端
４３  調整手段
５  枢支構造
５１  一対の外側ラグ
５２  一対の内側ラグ
５３  枢軸
５４  ブッシング
５５  ワッシャー
６  ケーシング
６１  開孔
【図１】
0003148316.tif 000003
【図２】
0003148316.tif 000004
【図３】
0003148316.tif 000005
【図４】
0003148316.tif 000006
【図５】
0003148316.tif 000007
【図６】
0003148316.tif 000008